(57)【要約】      （修正有）【課題】港湾作業、貨物船の荷役作業で使われているアームクレーン重機に取り付けた照明設備において、アームが角度稼動した場合に照明設備が夜間の荷役作業の目的物を照射し、荷役作業の効率を向上する。【解決手段】夜間荷役作業のアームクレーン重機１に取り付ける照明設備６を重力稼動する重力稼動支持躯体装置の先に取り付け、照明設備６への重力によりアームクレーン重機１が角度稼動しても常に照明設備６が直下の目的物に向き、目的物を照射する。【選択図】図１
2020031042.tif 000002
【特許請求の範囲】
【請求項１】
稼動支持躯体が重力線上に角度稼動するときに稼動支持上部固定部品と重力下に稼動する下部部品とで構成されている重力稼動支持装置。
【請求項２】
請求項１の重力稼動支持装置はアームクレーン重機類に取り付け、アームクレーン重機類が自由角度に稼動してもアームクレーン重機に連結する重力稼動支持装置の先に取り付けた物体重量により重力稼動支持装置に取り付けた物体は常に重力線上にあることを特徴とする重力稼動支持装置。
【請求項３】
稼動支持躯体下に照明設備を接続して重力下稼動することを特徴とする重力稼動支持装置。
【発明の詳細な説明】
【技術分野】
【０００１】本発明はアーム稼動重機類に取り付ける照明設備の重力稼動支持装置に関する。
【背景技術】
【０００２】港湾作業、貨物船の荷役作業ではアームクレーン重機が使われている。夜間作業はアーム重機に取り付けた照明設備により荷役作業が行われている。【０００３】夜間作業においてアームクレーン重機に取り付けた照明設備はアーム重機が自由角度で稼動するため一定位置角度に固定されているのが現状である。【０００４】アームクレーン重機に取り付けた照明設備は角度固定されているため、アームが角度稼動した場合に照明設備が照射する部分は引き上げ作業する部分に照射されない問題を有している。【０００５】夜間の荷役作業の目的物に照射されにくいため荷役作業の効率が著しく低下する問題を有している。」
【発明の開示】
【発明が解決しようとする課題】
【００６】本発明の目的は、夜間荷役作業のアームクレーン重機に取り付けた照明設備を直下目的物に照射するための照明設備を常に直下に重力で向ける重力稼動支持装置を提供することにある。
【課題を解決するための手段】
【００７】本発明は夜間荷役作業のアームクレーン重機に取り付けた照明設備を重力稼動する重力稼動支持装置の先に取り付けた照明設備が重力により常にアームクレーン重機が角度稼動しても直下の目的物に照明設備が照射することを目的とする重力稼動支持装置に関する。【００８】すなわち、アームクレーン重機のアーム部分に取り付けた重力稼動支持装置の先に取り付けた照明設備をームクレーン重機が自由角度で稼動しても重力稼動支持装置によりその先に接続されている照明設備が重力稼動支持装置の重力稼動により常に重力線上に照明設備を一定に直下に照射するための重力稼動支持装置である。【００９】従って、アームクレーン重機のアーム部分に取り付けた重力稼動支持装置により従来の角度固定された照明設備は目的物に中央照射できない課題を本発明は解決するものである。【００１０】本発明の重力稼動支持装置は上下の部品は連結せず空間となり、上下部品を外側の部品で固定し上下が自由角度稼動できるようになる。【００１１】本発明では上下部品を自由角度に稼動するため外側部品と円形に接触するものであり、接触面が球面状となるため摩擦抵抗により風圧力の影響を受けにくくなる。
【発明の効果】
【００１２】本発明にかかる重力稼動支持装置はアームクレーン重機に従来固定していた一定角度照明設備の目的物照射不足を重力稼動支持装置により、アームクレーン重機が自由角度で稼動しても常にアームクレーン重機直下の目的物を照射するため、夜間荷役作業の効率が向上しかつ作業安全性が高まる効果がある。
【発明を実施するための最良の形態】
【実施例】本発明にかかる重力稼動支持躯体装置を用いたアームクレーン重機照明設備は目的とするアームクレーン重機直下を照射するための重力稼動支持躯体装置について以下詳しく説明する。【００１３】本発明は、接続していない上下の２部品の間に稼動空間を作り、上下の２部品を覆う外側部品で構成し、上部品はアームクレーン重機に固定し、下部品は照明設備に固定する。【００１４】上下部品、外側部品は金属製もしくは樹脂成型部品とする。金属製では鉄もしくはステンレス製とする。樹脂性の場合は軽量となるが風圧の影響を受けやすくなる。【００１５】上下部品は半球体構造とし、外側部品は上下部品を覆う円形部品となる。上下部品の上部品と下部品を接することなく離れており、距離はアームクレーン重機の稼動角度により外側部品で調整する。
【実施例】（実施例１）【００１６】本発明にかかる重力稼動支持装置を用いたアームクレーン重機照明設備は目的とする１アームクレーン重機直下を照射するための重力稼動支持装置についての実施例を説明する。【００１７】本発明は２上部品と３下部品の間に空５間を設けて上下部品を覆う４外側部品とで構成されている上部品は１アームクレーン重機に固定し、３下部品は６照明設備に固定する。【００１８】２上部品、３下部品、４外側部品は円形構造で１アームクレーン重機が角度稼動すると１アームクレーン重機角度が変わっても６照明設備は常に垂直下に向くこととなる。【００１９】２上部品，３下部品の円形構造と、４外側部品は上下部品に接するように円形部品となる。上下部品の２上部品と３下部品を接することなく離れており、距離は１アームクレーン重機の稼動角度により４外側部品で調整する。風圧に対しては上下部品と５外側部品の接触抵抗が大きいため影響は少ない。【００２０】本発明は２上部品と離された３下部品を覆う４外側部品で上下部品が稼動状態で接続し、２上部品が１アームクレーン重機に固定し、３下部品は６照明設備に固定し、上下部品は一定約２ｃｍ〜１０ｃｍの空間があり、上下部品を覆う４外側部品が上下部品を異なる動きを作用する役目があり、３下部品に固定した６照明設備は１アームクレーン重機の自由な角度稼動にたいして、常に重力下に向くことを特徴とした照明設備用の重力稼動支持装置である。
この装置により、荷役の高効率化と作業安全性が高くなる。
【実施例】（実施例２）【００２１】１アームクレーン重機に接続固定する７固定上部品と６照明設備に接続する８固定下部品が９ボルトナットで固着し、７固定上部品と８固定下部品の接点が１０球状接点となることを特徴とする重力稼動支持装置に関する。【００２２】１アームクレーン重機に固定する７固定上部品は金属製で８固定下部品との接点に１０球状の突起をつけることで７固定上部品と８固定下部品とを９ボルトで締めても、１アームクレーン重機の自由角度稼動に対しても８固定下部品に接続した照明設備により常に重力下に稼動する構造である。【００２３】１アームクレーン重機が稼動し８固定下部品が稼動するとき、風の圧力により接触抵抗面積が少ないため、揺れる影響がある。稼動方向は１アームクレーン重機と平行方向に重力稼動するが、直角方向には動かないため直角方向の風の圧力の影響は受けない。【００２４】本発明は７固定上部品と８固定下部品の二つの部品で構成されたかんそ簡潔な構造となっており製造性についても製造効率のよい重力稼動支持躯体装置である。
７固定上部品が１アームクレーン重機に固定し、８固定下部品に固定した６照明設備は１アームクレーン重機の自由な角度稼動にたいして、常に重力下に向くことを特徴とした照明設備用の重力稼動支持装置である。
【図面の簡単な説明】
【００２５】
【図１】実施例１）の重力稼動支持装置システム図  １：  アームクレーン重機  ２：上部部品  ３：下部部品  ４：外側部品  ５：空間  ６：照明設備
【図２】実施例１）の重力稼動支持装置の拡大図  ２：上部部品  ３：下部部品  ４：外側部品  ５：空間  ６：照明設備
【図３】実施例２）の重力稼動支持装置の拡大図  ６：照明設備  ８：固定上部品  ９：固定下部品  １０：突起
【図１】
2020031042.tif 000003
【図２】
2020031042.tif 000004
【図３】
2020031042.tif 000005